【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
構造（Ｉ）
【化１】
2013503943.tif 000001
〔ここで、
Ａｒは、ベンゼン基またはナフタレン基を表し、
各Ｒは、独立して、Ｈ、Ｃ1〜Ｃ10アルキル、Ｃ5〜Ｃ15アリール、Ｃ6〜Ｃ20アリールアルキル、ＯＨ、または構造（ＩＩ）
【化２】
2013503943.tif 000002
で表される基であり、付帯条件として、１個のＲのみがＯＨまたは構造（ＩＩ）で表される基であることが可能であるものとし、
各Ｒ１は、独立して、Ｈ、Ｃ１〜Ｃ１０アルキル、Ｃ５〜Ｃ１５アリール、Ｃ６〜Ｃ２０アリールアルキルであり、
Ｘは、ＯまたはＣＦ2であり、
Ｚは、Ｈ、Ｃｌ、またはＢｒであり、
ａ＝０または１、
かつ
Ｑは、構造（Ｉａ）
【化３】
2013503943.tif 000003
｛ここで、
ｑ＝０〜１０、
Ｙは、ＯまたはＣＦ2であり、
Ｒｆ1は、（ＣＦ2）n（ここで、ｎは０〜１０である）であり、
かつ
Ｒｆ2は、（ＣＦ2）p（ここで、ｐは０〜１０である）であり、付帯条件として、ｐが０であるとき、ＹはＣＦ2であるものとする｝
で表される〕
で表されるフルオロビニルエーテル官能基化芳香族反復ユニットを含むポリマー。
【請求項２】
フルオロビニルエーテル官能基化芳香族二酸クロリドと芳香族ジアミンとを混合して反応混合物を形成することと、１８０〜２４０℃の温度に加熱することと、続いて、２５０〜３００℃に加熱することと、前記混合物を減圧に付すことにより揮発性物質を取り除くことと、を含む方法であって、前記フルオロビニルエーテル官能基化芳香族二酸クロリドが、構造（ＩＩＩ）
【化４】
2013503943.tif 000004
〔ここで、
Ａｒは、ベンゼン基またはナフタレン基を表し、
各Ｒは、独立して、Ｈ、Ｃ1〜Ｃ10アルキル、Ｃ5〜Ｃ15アリール、Ｃ6〜Ｃ20アリールアルキル、ＯＨ、または構造（ＩＩ）
【化５】
2013503943.tif 000005
で表される基であり、付帯条件として、１個のＲのみがＯＨまたは構造（ＩＩ）で表される基であることが可能であるものとし、
Ｘは、ＯまたはＣＦ2であり、
Ｚは、Ｈ、Ｃｌ、またはＢｒであり、
ａ＝０または１、
かつ
Ｑは、構造（Ｉａ）
【化６】
2013503943.tif 000006
｛ここで、
ｑ＝０〜１０、
Ｙは、ＯまたはＣＦ2であり、
Ｒｆ1は、（ＣＦ2）n（ここで、ｎは０〜１０である）であり、
かつ
Ｒｆ2は、（ＣＦ2）p（ここで、ｐは０〜１０である）であり、付帯条件として、ｐが０であるとき、ＹはＣＦ2であるものとする｝
で表される〕
で表される、上記方法。
【手続補正２】
【補正対象書類名】明細書
【補正対象項目名】００９１
【補正方法】変更
【補正の内容】
【００９１】
得られたポリマーの１グラムをＮＭＰ（２５ｍＬ）に溶解させ、ガラスキャストプレートに注加し、少量のブリードを行いながら真空下で６０℃のオーブンに約７２時間入れ、得られたフィルムを試験して接触角および表面エネルギーを決定した。こうして作製されたフィルムを真空下１５０℃で５時間加熱することにより追加の試験片を作製した。結果を表１に示す。
【表１】
2013503943.tif 000007
次に、本発明の態様を示す。
１.  構造（Ｉ）
【化４７】
2013503943.tif 000008
〔ここで、
Ａｒは、ベンゼン基またはナフタレン基を表し、
各Ｒは、独立して、Ｈ、Ｃ1〜Ｃ10アルキル、Ｃ5〜Ｃ15アリール、Ｃ6〜Ｃ20アリールアルキル、ＯＨ、または構造（ＩＩ）
【化４８】
2013503943.tif 000009
で表される基であり、付帯条件として、１個のＲのみがＯＨまたは構造（ＩＩ）で表される基であることが可能であるものとし、
各Ｒ１は、独立して、Ｈ、Ｃ１〜Ｃ１０アルキル、Ｃ５〜Ｃ１５アリール、Ｃ６〜Ｃ２０アリールアルキルであり、
Ｘは、ＯまたはＣＦ2であり、
Ｚは、Ｈ、Ｃｌ、またはＢｒであり、
ａ＝０または１、
かつ
Ｑは、構造（Ｉａ）
【化４９】
2013503943.tif 000010
｛ここで、
ｑ＝０〜１０、
Ｙは、ＯまたはＣＦ2であり、
Ｒｆ1は、（ＣＦ2）n（ここで、ｎは０〜１０である）であり、
かつ
Ｒｆ2は、（ＣＦ2）p（ここで、ｐは０〜１０である）であり、付帯条件として、ｐが０であるとき、ＹはＣＦ2であるものとする｝
で表される〕
で表されるフルオロビニルエーテル官能基化芳香族反復ユニットを含むポリマー。
２.  Ａｒがベンゼン基である、上記１に記載のポリマー。
３.  各ＲがＨである、上記１に記載のポリマー。
４.  １個のＲが構造（ＩＩ）で表されかつ残りの２個のＲがそれぞれＨである、上記１に記載のポリマー。
５.  各Ｒ1がＨである、上記１に記載のポリマー。
６.  ＸがＯである、上記１に記載のポリマー。
７.  ＸがＣＦ2である、上記１に記載のポリマー。
８.  ＹがＯである、上記１に記載のポリマー。
９.  ＹがＣＦ2である、上記１に記載のポリマー。
１０.  ＺがＣｌである、上記１に記載のポリマー。
１１.  １個のＲが構造（ＩＩ）で表され、１個のＺがＨであり、かつ１個のＺがＣｌである、上記１に記載のポリマー。
１２.  Ｒｆ1がＣＦ2である、上記１に記載のポリマー。
１３.  Ｒｆ2がＣＦ2である、上記１に記載のポリマー。
１４.  ｐ＝０かつＹがＣＦ2である、上記１に記載のポリマー。
１５.  Ａｒがベンゼン基であり、各ＲがＨであり、ＺがＣｌであり、各Ｒ1がＨであり、ＸがＯであり、ＹがＯであり、Ｒｆ1がＣＦ2であり、かつＲｆ2がペルフルオロプロペニルであり、かつｑ＝１である、上記１に記載のポリマー。
１６.  構造（Ｖ）
【化５０】
2013503943.tif 000011
〔式中、各Ｒ2は、独立して、Ｈまたはアルキルであり、かつ各Ｒ3は、独立して、Ｈまたはアルキルである〕
で表されるアラミド反復ユニットをさらに含む、上記１に記載のポリマー
１７.  Ｒ2がすべてＨでありかつＲ3がすべてＨである、上記１に記載のポリマー。
１８.  フルオロビニルエーテル官能基化芳香族二酸クロリドと芳香族ジアミンとを混合して反応混合物を形成することと、１８０〜２４０℃の温度に加熱することと、続いて、２５０〜３００℃に加熱することと、前記混合物を減圧に付すことにより揮発性物質を取り除くことと、を含む方法であって、前記フルオロビニルエーテル官能基化芳香族二酸クロリドが、構造（ＩＩＩ）
【化５１】
2013503943.tif 000012
〔ここで、
Ａｒは、ベンゼン基またはナフタレン基を表し、
各Ｒは、独立して、Ｈ、Ｃ1〜Ｃ10アルキル、Ｃ5〜Ｃ15アリール、Ｃ6〜Ｃ20アリールアルキル、ＯＨ、または構造（ＩＩ）
【化５２】
2013503943.tif 000013
で表される基であり、付帯条件として、１個のＲのみがＯＨまたは構造（ＩＩ）で表される基であることが可能であるものとし、
Ｘは、ＯまたはＣＦ2であり、
Ｚは、Ｈ、Ｃｌ、またはＢｒであり、
ａ＝０または１、
かつ
Ｑは、構造（Ｉａ）
【化５３】
2013503943.tif 000014
｛ここで、
ｑ＝０〜１０、
Ｙは、ＯまたはＣＦ2であり、
Ｒｆ1は、（ＣＦ2）n（ここで、ｎは０〜１０である）であり、
かつ
Ｒｆ2は、（ＣＦ2）p（ここで、ｐは０〜１０である）であり、付帯条件として、ｐが０であるとき、ＹはＣＦ2であるものとする｝
で表される〕
で表される、上記方法。
１９.  本発明の方法の一実施形態であって、各ＲがＨであるもの。
２０.  本発明の方法の一実施形態であって、１個のＲが構造（ＩＩ）で表されかつ残りの２個のＲがそれぞれＨであるもの。
２１.  本発明の方法の一実施形態であって、ＸがＯであるもの。
２２.  他の実施形態であって、ＸがＣＦ2であるもの。
２３.  本発明の方法の一実施形態であって、ＹがＯであるもの。
２４.  他の実施形態であって、ＹがＣＦ2であるもの。
２５.  さらなる実施形態であって、ＺがＣｌであるもの。
２６.  他の実施形態であって、１個のＲが構造（ＩＩ）で表され、１個のＺがＨであり、かつ１個のＺがＣｌであるもの。
２７.  本発明の方法の一実施形態であって、Ｒｆ1がＣＦ2であるもの。
２８.  本発明の方法の一実施形態であって、Ｒｆ2がＣＦ2であるもの。
２９.  本発明の方法の一実施形態であって、ｐ＝０かつＹがＣＦ2であるもの。
３０.  本発明の方法の一実施形態であって、芳香族ジアミンが１，４−ジアミノベンゼンであり、Ａｒがベンゼン基であり、各ＲがＨであり、ＺがＣｌであり、ＸがＯであり、ＹがＯであり、Ｒｆ1がＣＦ2であり、かつＲｆ2がペルフルオロプロペニルであり、かつｑ＝１であるもの。
３１.  他の実施形態であって、前記反応混合物が構造（ＶＩ）
【化５４】
2013503943.tif 000015
〔式中、Ａｒは、芳香族基であり、各Ｒは、独立して、ＨまたはＣ１〜Ｃ１０アルキルである〕
で表される芳香族二酸クロリドをさらに含むもの。
３２.  さらなる実施形態であって、各ＲがＨであるもの。
３３.  一実施形態であって、Ａｒがベンゼン基であるもの。